【事件の表示】
　特許第２９４４１１６号「ペースト状物品のためのディスペンサ」の特許に対する特許異議の申立てについて、次のとおり決定する。
【結　論】
　訂正を認める。
　特許第２９４４１１６号の請求項１、３ないし４に係る特許を維持する。
【理　由】
＜１＞手続の経緯　
　特許第2944116号は、平成1年12月1日（優先権主張平成1年8月30日）の出願であって、平成11年6月25日に特許の設定の登録がなされ、その後、入子俊明から特許異議の申立がなされ、取消理由が通知され、その指定期間内である平成12年8月14日に、意見書の提出とともに訂正請求がなされた。　
　
＜２＞訂正の適否についての判断　
＜２-１＞訂正の内容　
　特許権者が求めている訂正の内容は、以下の＜訂正Ａ〜Ｂ＞のとおりである。　
＜訂正Ａ＞　
特許請求の範囲（請求項１〜８）の　   
「(1)長さ方向に内容積がほとんどなくなるまで押し潰すことができ一端に押し出し口を有するペースト状物品を充填した容器と、　
　このペースト状物品を充填した容器を収納できる直径を有し両端が解放された筒状体と、　
　この筒状体に挿入できる大きさのピストンと、　
　上記筒状体を収めることができる収容部と操作部とを有し、この操作部の操作により上記収容部に収められた上記筒状体内にピストンを所定量だけ押し進めて上記筒状体内の上記容器を長さ方向に押し潰して上記ペースト状物品を上記容器の押し出し口から所定量づつ押し出すための押し出し器と、を有し、　
　上記筒状体が、上記収容部の内部で軸方向に所定距離だけ摺動可能なように上記収容部内に収納されていることを特徴とするペースト状物品のためのディスぺンサ。　
(2)上記筒状体の外周には、拡大径部が形成され、上記押し出し器の上記収容部の内周には上記拡大径部と当接する環状部が上記収容部の端部に形成されていることを特徴とする請求項１記載のペースト状物品のためのディスぺンサ。　
(3)上記押し出し器の上記収容部の上記容器の押し出し口が位置する側の端部には、上記ピストンの外径よりも大きい直径の円筒状中空部が上記ピストンの軸と同心に形成されていることを特徴とする請求項1記載のペースト状物品のためのディスぺンサ。　
(4)上記押し出し器の操作部の操作により、上記収容部に収められた上記筒状体内に上記ピストンを所定量だけ押し進めて上記筒状体内に上記容器を長さ方向に押し潰して上記ペースト状物品を上記容器の押し出し口から所定量づつ押し出し、その後少しの距離だけ後退させるようにしたことを特徴とする請求項1記載のペースト状物品のためのディスぺンサ。　
(5)両端が解放された筒状体と、　
　この筒状体に挿入できる大きさのピストンと、　
　押し出し器と、を有し、
　この押し出し器が、上記筒状体を収めることができる収容部と操作部とを有し、この操作部の操作により上記収容部に収められた上記筒状体内に上記ピストンを所定量だけ押し進めるように構成され、　
　上記筒状体が、上記収容部の内部で軸方向に所定距離だけ摺動可能なように上記収容部内に収納されていることを特徴とするディスぺンサ。　
(6)上記筒状体の外周には、拡大径部が形成され、上記押し出し器の上記収容部の内周には上記拡大径部と当接する環状部が上記収容部の端部に形成されていることを特徴とする請求項5記載のディスぺンサ。　
(7)上記押し出し器の上記収容部の上記容器の押し出し口が位置する側の端部には、上記ピストンの外径よりも大きい直径の円筒状中空部が上記ピストンの軸と同心に形成されていることを特徴とする請求項5記載のディスぺンサ。　
(8)上記押し出し器の操作部の操作により、上記収容部に収められた上記筒状体内に上記ピストンを所定量だけ押し進め、その後少しの距離だけ後退させるようにしたことを特徴とする請求項5記載のディスぺンサ。」　
を、
訂正明細書の特許請求の範囲（請求項１〜４）のとおり、すなわち、次のように訂正する。　
「【特許請求の範囲】　
【請求項1】　
　長さ方向に内容積がほとんどなくなるまで押し潰すことができ一端に押し出し口を有するペースト状物品を充填した容器と、
　このペースト状物品を充填した容器を収納できる直径を有し両端が解放された筒状体と、
　この筒状体に挿入できる大きさのピストンと、　
　上記筒状体を収めることができる収容部と操作部とを有し、この操作部の操作により上記収容部に収められた上記筒状体内にピストンを所定量だけ押し進めて上記筒状体内の上記容器を長さ方向に押し潰して上記ペースト状物品を上記容器の押し出し口から所定量づつ押し出すための押し出し器と、を有し、
　上記筒状体が、上記収容部の内部で軸方向に所定距離だけ摺動可能なように上記収容部内に収納され、
　上記押し出し器の上記収容部の上記容器の押し出し口が位置する側の端部には、上記ピストンの外径よりも大きい直径の円筒状中空部が上記ピストンの軸と同心に形成され、
　上記押し出し器の操作部が、上記ピストンが上記ペースト状物品を上記容器の押し出し口から所定量づつ押し出した後少しの距離だけ後退するように構成されていることを特徴とするペースト状物品のためのディスぺンサ。　
【請求項2】　　
　上記筒状体の外周には、拡大径部が形成され、上記押し出し器の上記収容部の内周には上記拡大径部と当接する環状部が上記収容部の端部に滅されていることを特徴とする請求項1記載のペースト状物品のためのディスぺンサ。　
【請求項3】　
　両端が解放された筒状体と、
　この筒状体に挿入できる大きさのピストンと、　
　押し出し器と、を有し、　
　この押し出し器が、上記筒状体を収めることができる収容部と操作部とを有し、この操作部の操作により上記収容部に収められた上記筒状体内に上記ピストンを所定量だけ押し進めるように構成され、　
　上記筒状体が、上記収容部の内部で軸方向に所定距離だけ摺動可能なように上記収容部内に収納され、
　上記押し出し器の上記収容部の上記容器の押し出し口が位置する側の端部には、上記ピストンの外径よりも大きい直径の円筒状中空部が上記ピストンの軸と同心に形成され、
　上記押し出し器の操作部が、上記ピストンが上記ペースト状物品を上記容器の押し出し口から所定量づつ押し出した後少しの距離だけ後退するように構成されていることを特徴とするディスぺンサ。
【請求項4】　
　上記筒状体の外周には、拡大径部が形成され、上記押し出し器の上記収容部の内周には上記拡大径部と当接する環状部が上記収容部の端部に形成されていることを特徴とする請求項3記載のディスぺンサ。」　
　
＜訂正Ｂ＞　
特許明細書の第6頁第15行〜第11頁第9行（特許公報第4欄第8行〜第5欄第21行）の　
「〔課題を解決するための手段〕　　　　　
　上記課題を解決するため、本発明においては、長さ方向に内容積がほとんどなくなるまで押し潰すことができ一端に押し出し口を有するペースト状物品を充填した容器を使用する。本発明の一態様においては、この容器は、該容器を収容できる直径を有し両端が開放した筒状体と組合わせて使用される。ペースト状物品の押し出しのためにはピストンと押し出し器が設けられ、ペースト状物品を充填した容器を収めた筒状体は、押し出し器の収容部に収められる。ピストンは、筒状体の開放端から該筒状体内に挿入される。押し出し器には操作部が設けられ、この操作部を操作することによりピストンが筒状体内を押し進められ、容器を長さ方向に押し潰して内部のペースト状物品を押し出し□から押し出す。
　本発明の他の態様においては、ぺースト状物品を充填した容器は、押し出し器に直接収めて使用される。この場合、押し出し器は、ペースト状物品を充填した容器を収容できる筒部を有し、該筒部には開閉自在な容器装填口が形成される。押し出し器の操作部を操作することにより、ピストンが筒部内を押し進められ、容器を長さ方向に押し潰す。
　すなわち、本発明の一態様によるペースト状物品のためのディスぺンサは、長さ方向に内容積がほとんどなくなるまで押し潰すことができ一端に押し出し口を有するペースト状物品を充填した容器と、前記ペースト状物品を充填した容器を収容できる直径を有し両端が開放した筒状体と、前記筒状体に挿入できる大きさのピストンと、前記筒状体を収めることができる収容部と操作部とを有し前記操作部の操作により前記収容部に収められた筒状体内に前記ピストンを所定量だけ押し進めて前記筒状体内の前記容器を長さ方向に押し潰して前記ペーストを前記容器の前記押し出し口から所定量づつ押し出すための押し出し器とから構成される。　
　また、本発明の他の態様によるペースト状物品のためのディスぺンサは、長さ方向に内容積がほとんどなくなるまで押し潰すことができ一端に押し出し口を有するペースト状物品を充填した容器と、押し出し器とからなり、前記押し出し器は、前記ペースト状物品を充填した容器を収容できる筒部と前記筒部に設けた開閉自在な容器装填口と前記筒部に挿入できる大きさのピストンと操作部とを有し、前記操作部の操作により前記筒部内に前記ピストンを所定量だけ押し進めて前記筒部内の前記容器を長さ方向に押し潰して前記ペーストを前記容器の前記押し出し口から所定量づつ押し出すように構成される。
　上記の二つの態様においては、筒状体の外周に拡大径部を形成し、押し出し器の収容部の内周には拡大径部と当接する環状部を収容部の端部に形成し、筒状体が収容部内部で軸方向に所定距離だけ摺動可能であるようにすることが好ましい。　
　また、上記二つの態様においては、押し出し器の収容部の容器押し出し口が位置する側の端部にはピストンの外径よりも大きい直径の円筒状中空部をピストンの軸と同心に形成することが好ましい。　
〔作用〕　　　　　　　　　　　　
　本発明の上記構成によれば、ペースト状物品を充填した容器は、両端が開放した筒状体または押し出し器の筒状部に収められて、押し出し器により所定量づつ押し進められるピストンの作用で長さ方向に所定量づつ押し潰される。この押し潰しにより、容器内のペースト状物品は所定量づつ押し出し口から押し出される。容器は筒状体または押し出し器 の筒状部に収められているので、この押し潰しの過程で横方向に折れたりすることがなく、確実に長さ方向に押し潰される。」　
を、　
訂正明細書の記載のとおり、すなわち、次のように訂正する。　
「〔課題を解決するための手段〕　
　上記の課題を解決するために、本発明の一態様によるペースト状物品のためのディスぺンサは、両端が解放された筒状体と、この筒状体に挿入できる大きさのピストンと、押し出し器と、を有し、この押し出し器が、筒状体を収めることができる収容部と操作部とを有し、この操作部の操作により収容部に収められた筒状体内にピストンを所定量だけ押し進めるように構成され、筒状体が、収容部の内部で軸方向に所定距離だけ摺動可能なように収容部内に収納され、押し出し器の収容部の容器の押し出し口が位置する側の端部には、ピストンの外径よりも大きい直径の円筒状中空部がピストンの軸と同心に形成され、押し出し器の操作部が、ピストンが上記ペースト状物品を容器の押し出し口から所定量づつ押し出した後少しの距離だけ後退するように構成されている。　
　また、本発明の他の態様によるペースト状物品のためのディスぺンサは、両端が解放された筒状体と、この筒状体に挿入できる大きさのピストンと、押し出し器と、を有し、この押し出し器が、筒状体を収めることができる収容部と操作部とを有し、この操作部の操作により収容部に収められた筒状体内にピストンを所定量だけ押し進めるように構成され、筒状体が、収容部の内部で軸方向に所定距離だけ摺動可能なように収容部内に収納され、押し出し器の収容部の容器の押し出し口が位置する側の端部には、ピストンの外径よりも大きい直径の円筒状中空部がピストンの軸と同心に形成され、押し出し器の操作部が、ピストンがペースト状物品を容器の押し出し口から所定量づつ押し出した後少しの距離だけ後退するように構成されている。　
　上記の二つの態様において、筒状体の外周には、拡大径部が形成され、押し出し器の収容部の内周には拡大径部と当接する環状部が収容部の端部に形成されていることが好ましい。　
〔作用〕　
　本発明の上記構成によれば、ペースト状物品を充頃した容器は、両端が開放した筒状体に収納され、押し出し器により所定量づつ押し進められるピストンの作用で長さ方向に所定量づつ押し潰される。この押し潰しにより、容器内のペースト状物品は所定量づつ容器の押し出し口から押し出される。容器は筒状体に収納されているので、この押し潰しの過程で横方向に折れたりすることがなく、確実に長さ方向に押し潰される。また、筒状体が軸方向に摺動可能に収納され、押し出し器の収容部の容器の押し出し口が位置する側の端部に円筒状中空部が形成され、さらに、押し出し器の操作部がピストンがペースト状物品を容器の押し出し口から所定量づつ押し出した後少しの距離だけ後退するように構成されているので、ピストンを押して容器を押し潰した状態のまま操作を止めても、ピストンが少しの距離だけ後退して押し潰された容器がその内容積を回復し、押し出し口から押し出されたペースト状物品が容器内に吸い込まれるようにして戻るため、少量の漏れ出し防止することができる。」　　
　
　
＜２−２＞訂正の目的の適否、新規事項の有無および拡張・変更の有無　　
　上記＜訂正Ａ＞は、　
＜Ａ-1＞　訂正前の請求項３〜４および請求項７〜８を削除し、　
＜Ａ-2＞　訂正前の請求項1に記載された「押し出し器の収容部」に関し、「上記押し出し器の上記収容部の上記容器の押し出し口が位置する側の端部には、上記ピストンの外径よりも大きい直径の円筒状中空部が上記ピストンの軸と同心に形成され」と限定し、　
同じく「押し出し器の操作部」に関し、「上記押し出し器の操作部が、上記ピストンが上記ペースト状物品を上記容器の押し出し口から所定量づつ押し出した後少しの距離だけ後退するように構成されている」と限定し、　
＜Ａ-3＞　訂正前の請求項５に記載された「押し出し容器の収容部」に関し、「上記押し出し器の上記収容部の上記容器の押し出し口が位置する側の端部には、上記ピストンの外径よりも大きい直径の円筒状中空部が上記ピストンの軸と同心に形成され」と限定し、　
同じく「押し出し器の操作部」に関し、「上記押し出し器の操作部が、上記ピストンが上記ペースト状物品を上記容器の押し出し口から所定量づつ押し出した後少しの距離だけ後退するように構成されている」と限定して、これを請求3と訂正し、　
＜Ａ-4＞　訂正前の請求項６を請求項４とするものであり、　
上記＜Ａ-1＞は特許請求の範囲の減縮に該当し、上記＜Ａ-2＞＜Ａ-3＞は、特許請求の範囲の減縮に該当するとともに、デイスペンサの構成を明りょうにするものであり、上記＜Ａ-4＞は明りょうでない記載の釈明に該当する。　
　そして、上記＜Ａ-2＞＜Ａ-3＞の訂正しようとする事項は、各々、訂正前の特許請求の範囲の請求項３〜４、および請求項７〜８に記載されている事項であり、しかも、この訂正により実質上特許請求の範囲を拡張または変更するものではない。　
　
　また、上記＜訂正Ｂ＞は、　
上記＜訂正Ａ＞に対応して明細書の記載を整合させようとするものであり、＜訂正Ａ＞に伴う明りょうでない記載の釈明に該当し、＜訂正Ａ＞と同様に訂正前の明細書に記載された事項の範囲内の訂正であり、しかも、この訂正により実質上特許請求の範囲を拡張または変更するものではない。　
　
＜２−３＞むすび　
　以上のとおりであるから、上記訂正は、特許法等の一部を改正する法律（平成６年法律第116号、以下「平成6年法」という）附則第6条第1項の規定によりなお従前の例によるとされる、特許法第120条の4第3項において準用する平成６年改正法による改正前の特許法第126条第1項ただし書、第2項および第3項の規定に適合するので、当該訂正は認める。　
　
　
＜３＞特許異議の申立てについての判断　
＜３−１＞本件発明　
　上記「＜２＞訂正の適否についての判断」において検討したように、上記＜訂正Ａ＞および＜訂正Ｂ＞が認められるから、訂正後の本件請求項1〜4に係る発明は、訂正明細書の特許請求の範囲の請求項1〜4に記載されるとおりのものである（以下、「訂正後の請求項1〜4の発明」という）。　
　
＜３−２＞申立の理由の概要　
　異議申立人　入子俊明は、　
甲第1号証その1として米国特許第3288333号明細書（訳文（甲第1号証その2）添付）、
甲第2号証として特開昭59-98767号公報、　
甲第3号証として実願昭56-83774号（実開昭57-195475）のマイクロフィルム、　
甲第4号証として実願昭56-83775号（実開昭57-195476）のマイクロフィルム、　
を提出し、　
（１）訂正前の請求項1、4，5，8に係る発明は、本件出願前に頒布された刊行物である甲第1〜4号証記載の発明に基づいて当業者が容易に発明することができたもので特許法第29条第2項の規定により特許を受けることはできず、　
（２）訂正前の請求項1および請求項5において「上記筒状体が、上記収容部の内部で軸方向に所定距離だけ摺動可能なように上記収容部内に収容されている」（以下、＜摺動要件＞という）という摺動に関する構成要件があるが、「少量の漏れ出しを防止する」（特許公報第4頁第8欄第16〜17行）というためには、「ピストン57が所定量だけ前進した後、少しの距離だけ後退するように押し出し器の操作部を構成」（以下、＜後退要件＞という）（特許公報第4頁第8欄第22〜24行）および「円筒状中空部」（以下、＜円筒状中空部要件＞という）（例えば第7図）に関する構成が記載されていないので、その技術思想を明確に把握することが出来ないから、特許法第36条第4項に規定する要件を満たしていないので、特許を受けることはできず、訂正前の本件請求項１，４，５，８に係る特許は取り消されるべきものである、　
と、主張する。　
　
＜３−３＞甲各号証の記載事項　
　甲第1〜4号証には、図面とともに次の記載がある。　
＜刊行物1＞米国特許第3288333号明細書（甲第1号証）　
上記明細書の次の箇所には、下記の通りの事項が記載されていると認められる。　
ａ：明細書第1欄第5〜18行　
「本発明は、コーキングカートリッジ、特に、コーキングガンにより施用される材料を収容する密閉バッグを装填するコーキングカートリッジに関する。・・・当該カートリッジから施用される材料は、必ずしもコーキング材料に限らず、ノズルから押し出すことによって一般に施用される多数の他の種類の材料のいずれか・・・とし得ることを理解しなければならない。」（訳文第1頁第1〜8行）　
ｂ：明細書第1欄49〜70行　
「以下、図面について詳述すれば、水平方向底部の受座12、コーキングコンパウンドまたは他の材料のチューブをその区間に受容するための二又前端部13、後端部14、引き金15、ピストン16、および、ピストン16と結合され、コーキングコンパウンドを押し出すために前方へ推進させる手段となる引き金とかみ合っているラチェット17を有する、従来の装填式コーキングガン11が図示されている。　
　ガン11に挿入され得る寸法のらせん巻き円筒形ボール紙チューブ18は、一端にノズル19を備えて作製されている。このチューブ18は、他方の端が開放されており、チューブ18の内容物を圧縮しノズル19から排出させるピストン16を受容し得る寸法である。チューブ18は、光沢表面加工紙29または他の類似の平滑材料の内部積層を有しており、チューブを作製するらせん巻き材料に貼付されている。紙29または他の材料によるこの表面は、スリーブ22の形でチューブ18に施用することもでき、このスリーブは光沢表面または低摩擦係数を有する。」（訳文第1頁第20行〜第2頁第8行）　
ｃ：明細書第2欄10〜41行　
「耐水性で高強度のプラスチック柔軟材料による、シールまたは何らかの他の適切な方法によって一端で閉じられているバッグ23が、チューブ18内に入っている。このバッグは、概ね筒状で、チューブ18の内径よりもわずかに小さい外径を有する。このバッグには、コーキングガンによって押し出されるコーキングコンパウンドまたは他の材料が充填されている。また、他方の端も密閉されており、それにより、内容物は密封され、漏れ出さず、その水分を大気またはチューブ18に失わないようになっている。カートリッジを使用したい場合、ノズル19が二又端部13の間にあるようにカートリッジをコーキングガン11に配置し、ピストン16をチューブ18の開放端に入れ、バッグ23に密着させる。その後、引き金15を、ラチェット17とかみ合い、ピストン16がバッグ23を押圧するように操作する。バッグ23の前端部は、ノズル19に嵌挿された穿孔要素によって穴が開けられる。このようにして、ピストン16により行使される圧力は、バッグ23の材料をノズル19を通じて押し出す。バッグは規則的につぶれ、蛇腹状に短縮し、図3に示すようにその表面に規則的な折りたたみを成すことがわかった。バッグ23は、その反対の端または側面のいずれかの箇所で破裂することはなく、チューブの内容物の全部が排出された時にはきちんとした塊りに折りたたまれる。バッグ23は、内容物がその水分を失ったり、または、漏れ出してスリーブ22を濡らし、そのためにスリーブが脆弱化し加圧時に破壊させたりすることはない。　
　これは、密閉バッグ23を持たない従来形式の小出しチューブよりも著しく便利かつ有利である。」（訳文第2頁第16〜35行）　
　
＜刊行物2＞実願昭56-83774号（実開昭57-195475）のマイクロフィルム（甲第3号証）　
ｄ：　
「本考案に係るカートリッジの使用に当たっては・・・レバー２を回動すると押出棒３が前進すると共に押出端部４によって押圧された底板８がカートリッジＢの筒体７内を前進する。このときカートリッジＢ全体も前方へ押圧されるが、カートリッジ止片６によって筒体７の先端が係止されているために筒体７先端部に形成された膨出部１０が前後からの圧力により第３図に示す如く偏平状に変形すると共にノズル９から充填剤Ｇが注出される。次に隙間部に充填剤Ｇを充填後、コーキングガンＡのレバー２の回動を停止するとカートリッジＢは押出棒３による圧力がなくなり弾力性を有する膨出部１０が第２図に示す様に元の状態に復元し、筒体７は押出棒３と共に膨出部１０が復元しただけ後退する。従ってカートリッジＢの筒体７内は膨出部１０が復元し膨出した容量分負の圧力を受けノズル９の先端の充填剤Ｇを内部へ吸収し、レバー２の回動停止直後の充填剤Ｇの漏れを防止することが出来る」（第3頁第14行〜第5頁第4行）　
　
＜刊行物3＞実願昭56-83775号（実開昭57-195476）のマイクロフィルム（甲第4号証）にも、記載ｄとほぼ同様の記載がある。
　
＜刊行物4＞特開昭59-98767号公報（甲第2号証）　
ｅ：　
「図で（1）は押出しガンを示し、該押出しガン（1）はロッド（2）の先端に固定された押圧板（3）を有し、該押圧板（3）がトリガー型レバー（4）の握り締め、解放の反復操作により、刻み送り機構（5（「6」は誤字、以下、同じ））を通じて筒形装填室（6）中を前方へ漸進されるようになっている。即ち、図示の実施例では、前記反復操作によりトリガー型レバー（4）がピン（7）を支点として前後に反復揺動すると、ロッド（2）に穿孔（9）が遊嵌されている、刻み送り機構（5）である穿孔板がレバー（4）上の固定された押杆（8）により一端側を前方に押され、全体として第1図の時計回り方向へ回動変位されて、穿孔（9）のエッジがロッド（2）に摩擦係合し、更に続くレバー（4）の第1図反時計回り方向への回動で、前方へ刻み送り機構（5）が押され、それにつれてロッド（2）と共に押圧板（3）が前進される。トリガー型レバ−（4）の握り締めを解放した時には刻み送り機構（5）は圧縮スプリング（10）に押されて、元の位置へ復帰する。」（第3頁左上欄第7行〜右上欄第6行）　
ｆ：　
「（16）は上記押出しガン（1）の装填室（6）に装填される、シーリング剤、コーキング材、接着剤等の液状またはペースト状物を詰めたフレキシブル押出しチューブで、該押出しチューブ（16）は先端に内容物押出し用の前方へ突出したノーズ（17）を有し、該ノーズ（17）が前方へ突出するのを許す開口（18）を上記押出しガン（1）の装填室が有する。更に装填室（6）は、押出しチューブ（16）の前方移動を阻止するストッパー（19）を有する。」（第3頁右上欄第16行〜左下欄第6行）　
ｇ：　
「押出しチューブ（16）は後端閉鎖型（第1図）でもよいし、適当なシーリング手段によりシールされる後端開放型でもよい。」（第3頁右下欄第1〜3行）　
　
　
＜３−４＞判断　
　平成12年5月29日付けで通知された取消理由は、　
理由1：　
　訂正前の請求項1および請求項4に係る発明は、刊行物1および刊行物2または3記載の発明に基づいて当業者が容易に発明することができたものであるから、特許法第29条第2項の規定により特許を受けることができない。　
（なお、刊行物4記載の発明は、訂正前の請求項1の発明についての上記判断の際、参考にした）　
理由2：　
　訂正前の請求項5および請求項8に係る発明は、刊行物2または3に記載された発明であるから、同法第29条第1項第3号の規定に該当する発明であるので、特許を受けることができない、　
　また、訂正前の請求項5に係る発明は、刊行物2または3記載の発明、および刊行物1記載の発明に基づいて当業者が容易に発明することができたものであり、　
訂正前の請求項8に係る発明は、刊行物2または3記載の発明に基づいて当業者が容易に発明することができたものであるから、各々、同法第29条第2項の規定により特許を受けることができない、　
理由3：　
　訂正前の請求項1および請求項5は、異議申立人のいう上記＜摺動要件＞は記載されているが、上記＜後退要件＞＜円筒状中空部要件＞の記載がなく、発明の構成に欠くことができない事項の記載が不備であり、特許法第36条第4項に規定する要件を満たしていない、　
と、いうものである。　
　
　しかしながら、上記訂正により、訂正後の請求項1および請求項3の発明は、上記＜円筒状中空部要件＞＜後退要件＞が限定されたから、　
理由1については、　
　訂正後の請求項1の発明において限定された上記＜円筒状中空部要件＞は、訂正前の請求項3に記載されていたが、該訂正前の請求項3については特許異議の申立てもなされておらず、また、刊行物1〜4にも記載されてなく、示唆もされていないから、　
訂正後の請求項1の発明は、刊行物4記載の発明を参照しても、刊行物1および刊行物2または3記載の発明に基づいて当業者が容易に発明することができたということはできない、
理由2については、　
　訂正後の請求項3の発明において限定された上記＜円筒状中空部要件＞については、訂正前の請求項7に記載されていたが、該訂正前の請求項7については特許異議の申立てもなされておらず、また、刊行物1〜3にも記載されてなく、示唆もされていなく、　
　同様に、訂正後の請求項3の発明は、刊行物2または3に記載されているということはできず、　
また、刊行物2または3記載の発明に基づいて当業者が容易に発明することができたともいうことはできない、　
 理由3については、　
　訂正後の請求項1および請求項3の発明は、上記＜後退要件＞＜円筒状中空部要件＞の限定により、発明の構成に欠くことができない事項が不備であるとはいうことができない。　
　したがって、異議申立人の主張を採用することはできない。　
　
　
＜３−５＞むすび　
　以上のとおりであるから、特許異議申立ての理由および証拠によっては、本件訂正後の請求項１、3〜4に係る発明の特許を取り消すことはできない。　
　また、ほかに上記本件発明の特許を取り消すべき理由を発見しない。　
　よって、結論のとおりに決定する。　
【異議決定日】
平成１２年９月８日（２０００．９．８）
【訂正の要旨】
訂正の要旨
特許請求の範囲（請求項１〜８）の
「（１）長さ方向に内容積がほとんどなくなるまで押し潰すことができ一端に押し出し口を有するペースト状物品を充填した容器と、
　このペースト状物品を充填した容器を収納できる直径を有し両端が解放された筒状体と、
　この筒状体に挿入できる大きさのピストンと、
　上記筒状体を収めることができる収容部と操作部とを有し、この操作部の操作により上記収容部に収められた上記筒状体内にピストンを所定量だけ押し進めて上記筒状体内の上記容器を長さ方向に押し潰して上記ペースト状物品を上記容器の押し出し口から所定量づつ押し出すための押し出し器と、を有し、
　上記筒状体が、上記収容部の内部で軸方向に所定距離だけ摺動可能なように上記収容部内に収納されていることを特徴とするペースト状物品のためのディスペンサ。
（２）上記筒状体の外周には、拡大径部が形成され、上記押し出し器の上記収容部の内周には上記拡大径部と当接する環状部が上記収容部の端部に形成されていることを特徴とする請求項１記載のペースト状物品のためのディスペンサ。
（３）上記押し出し器の上記収容部の上記容器の押し出し口が位置する側の端部には、上記ピストンの外径よりも大きい直径の円筒状中空部が上記ピストンの軸と同心に形成されていることを特徴とする請求項１記載のペースト状物品のためのディスペンサ。
（４）上記押し出し器の操作部の操作により、上記収容部に収められた上記筒状体内に上記ピストンを所定量だけ押し進めて上記筒状体内に上記容器を長さ方向に押し潰して上記ペースト状物品を上記容器の押し出し口から所定量づつ押し出し、その後少しの距離だけ後退させるようにしたことを特徴とする請求項１記載のペースト状物品のためのディスペンサ。
（５）両端が解放された筒状体と、
　この筒状体に挿入できる大きさのピストンと、
　押し出し器と、を有し、
　この押し出し器が、上記筒状体を収めることができる収容部と操作部とを有し、この操作部の操作により上記収容部に収められた上記筒状体内に上記ピストンを所定量だけ押し進めるように構成され、
　上記筒状体が、上記収容部の内部で軸方向に所定距離だけ摺動可能なように上記収容部内に収納されていることを特徴とするディスペンサ。
（６）上記筒状体の外周には、拡大径部が形成され、上記押し出し器の上記収容部の内周には上記拡大径部と当接する環状部が上記収容部の端部に形成されていることを特徴とする請求項５記載のディスペンサ。
（７）上記押し出し器の上記収容部の上記容器の押し出し口が位置する側の端部には、上記ピストンの外径よりも大きい直径の円筒状中空部が上記ピストンの軸と同心に形成されていることを特徴とする請求項５記載のディスペンサ。
（８）上記押し出し器の操作部の操作により、上記収容部に収められた上記筒状体内に上記ピストンを所定量だけ押し進め、その後少しの距離だけ後退させるようにしたことを特徴とする請求項５記載のディスペンサ。」
を、
特許請求の範囲の減縮を目的として、
訂正明細書の特許請求の範囲（請求項１〜４）のとおり、すなわち、
「【特許請求の範囲】
　【請求項１】
　長さ方向に内容積がまとんどなくなるまで押し潰すことができ一端に押し出し口を有するペースト状物品を充填した容器と、
　このペースト状物品を充填した容器を収納できる直径を有し両端が解放された筒状体と、
　この筒状体に挿入できる大きさのピストンと、
　上記筒状体を収めることができる収容部と操作部とを有し、この操作部の操作により上記収容部に収められた上記筒状体内にピストンを所定量だけ押し進めて上記筒状体内の上記容器を長さ方向に押し潰して上記ペースト状物品を上記容器の押し出し口から所定量づつ押し出すための押し出し器と、を有し、
　上記筒状体が、上記収容部の内部で軸方向に所定距離だけ摺動可能なように上記収容部内に収納され、
　上記押し出し器の上記収容部の上記容器の押し出し口が位置する側の端部には、上記ピストンの外径よりも大きい直径の円筒状中空部が上記ピストンの軸と同心に形成され、
　上記押し出し器の操作部が、上記ピストンが上記ペースト状物品を上記容器の押し出し口から所定量づつ押し出した後少しの距離だけ後退するように構成されていることを特徴とするペースト状物品のためのディスペンサ。
　【請求項２】
　上記筒状体の外周には、拡大径部が形成され、上記押し出し器の上記収容部の内周には上記拡大径部と当接する環状部が上記収容部の端部に滅されていることを特徴とする請求項１記載のペースト状物品のためのディスペンサ。
　【請求項３】
　両端が解放された筒状体と、
　この筒状体に挿入できる大きさのピストンと、
　押し出し器と、を有し、
　この押し出し器が、上記筒状体を収めることができる収容部と操作部とを有し、この操作部の操作により上記収容部に収められた上記筒状体内に上記ピストンを所定量だけ押し進めるように構成され、
　上記筒状体が、上記収容部の内部で軸方向に所定距離だけ摺動可能なように上記収容部内に収納され、
　上記押し出し器の上記収容部の上記容器の押し出し口が位置する側の端部には、上記ピストンの外径よりも大きい直径の円筒状中空部が上記ピストンの軸と同心に形成され、
　上記押し出し器の操作部が、上記ピストンが上記ペースト状物品を上記容器の押し出し口から所定量づつ押し出した後少しの距離だけ後退するように構成されていることを特徴とするディスペンサ。
　【請求項４】
　上記筒状体の外周には、拡大径部が形成され、上記押し出し器の上記収容部の内周には上記拡大径部と当接する環状部が上記収容部の端部に形成されていることを特徴とする請求項３記載のディスペンサ。」
に訂正するとともに、
特許明細書の第６頁第１５行〜第１１頁第９行（特許公報第４欄第８行〜第５欄第２１行）の
「〔課題を解決するための手段〕
　上記課題を解決するため、本発明においては、長さ方向に内容積がほとんどなくなるまで押し潰すことができ一端に押し出し口を有するペースト状物品を充填した容器を使用する。本発明の一態様においては、この容器は、該容器を収容できる直径を有し両端が開放した筒状体と組合わせて使用される。ペースト状物品の押し出しのためにはピストンと押し出し器が設けられ、ペースト状物品を充填した容器を収めた筒状体は、押し出し器の収容部に収められる。ピストンは、筒状体の開放端から該筒状体内に挿入される。押し出し器には操作部が設けられ、この操作部を操作することによりピストンが筒状体内を押し進められ、容器を長さ方向に押し潰して内部のペースト状物品を押し出し□から押し出す。
　本発明の他の態様においては、ペースト状物品を充填した容器は、押し出し器に直接収めて使用される。この場合、押し出し器は、ペースト状物品を充填した容器を収容できる筒部を有し、該筒部には開閉自在な容器装填口が形成される。押し出し器の操作部を操作することにより、ピストンが筒部内を押し進められ、容器を長さ方向に押し潰す。
　すなわち、本発明の一態様によるペースト状物品のためのディスペンサは、長さ方向に内容積がほとんどなくなるまで押し潰すことができ一端に押し出し口を有するペースト状物品を充填した容器と、前記ペースト状物品を充填した容器を収容できる直径を有し両端が開放した筒状体と、前記筒状体に挿入できる大きさのピストンと、前記筒状体を収めることができる収容部と操作部とを有し前記操作部の操作により前記収容部に収められた筒状体内に前記ピストンを所定量だけ押し進めて前記筒状体内の前記容器を長さ方向に押し潰して前記ペーストを前記容器の前記押し出し口から所定量づつ押し出すための押し出し器とから構成される。
　また、本発明の他の態様によるペースト状物品のためのディスペンサは、長さ方向に内容積がほとんどなくなるまで押し潰すことができ一端に押し出し口を有するペースト状物品を充填した容器と、押し出し器とからなり、前記押し出し器は、前記ペースト状物品を充填した容器を収容できる筒部と前記筒部に設けた開閉自在な容器装填口と前記筒部に挿入できる大きさのピストンと操作部とを有し、前記操作部の操作により前記筒部内に前記ピストンを所定量だけ押し進めて前記筒部内の前記容器を長さ方向に押し潰して前記ペーストを前記容器の前記押し出し口から所定量づつ押し出すように構成される。
　上記の二つの態様においては、筒状体の外周に拡大径部を形成し、押し出し器の収容部の内周には拡大径部と当接する環状部を収容部の端部に形成し、筒状体が収容部内部で軸方向に所定距離だけ摺動可能であるようにすることが好ましい。
　また、上記二つの態様においては、押し出し器の収容部の容器押し出し口が位置する側の端部にはピストンの外径よりも大きい直径の円筒状中空部をピストンの軸と同心に形成することが好ましい。
〔作用〕
　本発明の上記構成によれば、ペースト状物品を充填した容器は、両端が開放した筒状体または押し出し器の筒状部に収められて、押し出し器により所定量づつ押し進められるピストンの作用で長さ方向に所定量づう押し潰される。この押し潰しにより、容器内のペースト状物品は所定量づつ押し出し口から押し出される。容器は筒状体または押し出し器の筒状部に収められているので、この押し潰しの過程で横方向に折れたりすることがなく、確実に長さ方向に押し潰される。」
を、
明りょうでない記載の釈明を目的として、訂正明細書の記載のとおり、すなわち、
「〔課題を解決するための手段〕
　上記の課題を解決するために、本発明の態様によるペースト状物品のためのディスペンサは、両端が解放された筒状体と、この筒状体に挿入できる大きさのピストンと、押し出し器と、を有し、この押し出し器が、筒状体を収めることができる収容部と操作部とを有し、この操作部の操作により収容部に収められた筒状体内にピストンを所定量だけ押し進めるように構成され、筒状体が、収容部の内部で軸方向に所定距離だけ摺動可能なように収容部内に収納され、押し出し器の収容部の容器の押し出し口が位置する側の端部には、ピストンの外径よりも大きい直径の円筒状中空部がピストンの軸と同心に形成され、押し出し器の操作部が、ピストンが上記ペースト状物品を容器の押し出し口から所定量づつ押し出した後少しの距離だけ後退するように構成されている。
　また、本発明の他の態様によるペースト状物品のためのディスペンサは、両端が解放された筒状体と、この筒状体に挿入できる大きさのピストンと、押し出し器と、を有し、この押し出し器が、筒状体を収めることができる収容部と操作部とを有し、この操作部の操作により収容部に収められた筒状体内にピストンを所定量だけ押し進めるように構成され、筒状体が、収容部の内部で軸方向に所定距離だけ摺動可能なように収容部内に収納され、押し出し器の収容部の容器の押し出し口が位置する側の端部には、ピストンの外径よりも大きい直径の円筒状中空部がピストンの軸と同心に形成され、押し出し器の操作部が、ピストンがペースト状物品を容器の押し出し口から所定量づつ押し出した後少しの距離だけ後退するように構成されている。
　上記の二つの態様において、筒状体の外周には、拡大径部が形成され、押し出し器の収容部の内周には拡大径部と当接する環状部が収容部の端部に形成されていることが好ましい。
〔作用〕
　本発明の上記構成によれば、ペースト状物品を充頃した容器は、両端が開放した筒状体に収納され、押し出し器により所定量づつ押し進められるピストンの作用で長さ方向に所定量づつ押し潰される。この押し潰しにより、容器内のペースト状物品は所定量づつ容器の押し出し口から押し出される。容器は筒状体に収納されているので、この押し潰しの過程で横方向に折れたりすることがなく、確実に長さ方向に押し潰される。また、筒状体が軸方向に摺動可能に収納され、押し出し器の収容部の容器の押し出し口が位置する側の端部に円筒状中空部が形成され、さらに、押し出し器の操作部がピストンがペースト状物品を容器の押し出し口から所定量づつ押し出した後少しの距離だけ後退するように構成されているので、ピストンを押して容器を押し潰した状態のまま操作を止めても、ピストンが少しの距離だけ後退して押し潰された容器がその内容積を回復し、押し出し口から押し出されたペースト状物品が容器内に吸い込まれるようにして戻るため、少量の漏れ出し防止することができる。」
（５４）【発明の名称】
ペースト状物品のためのディスペンサ
（５７）【特許請求の範囲】
　　【請求項１】　長さ方向に内容積がほとんどなくなるまで押し潰すことができ一端に押し出し口を有するペースト状物品を充填した容器と、
　このペースト状物品を充填した容器を収納できる直径を有し両端が解放された筒状体と、
　この筒状体に挿入できる大きさのピストンと、
　上記筒状体を収めることができる収容部と操作部とを有し、この操作部の操作により上記収容部に収められた上記筒状体内にピストンを所定量だけ押し進めて上記筒状体内の上記容器を長さ方向に押し潰して上記ペースト状物品を上記容器の押し出し口から所定量づつ押し出すための押し出し器と、を有し、
　上記筒状体が、上記収容部の内部で軸方向に所定距離だけ摺動可能なように上記収容部内に収納され、
　
上記押し出し器の上記収容部の上記容器の押し出し口が位置する側の端部には、上記ピストンの外径よりも大きい直径の円筒状中空部が上記ピストンの軸と同心に形成され
　
上記押し出し器の操作部が、上記ピストンが上記ペースト状物品を上記容器の押し出し口から所定量づつ押し出した後少しの距離だけ後退するように構成されている
　　【請求項２】　上記筒状体の外周には、拡大径部が形成され、上記押し出し器の上記収容部の内周には上記拡大径部と当接する環状部が上記収容部の端部に形成されていることを特徴とする請求項１記載のペースト状物品のためのディスペンサ。
　　【請求項
３
　この筒状体に挿入できる大きさのピストンと、
　押し出し器と、を有し、
　この押し出し器が、上記筒状体を収めることができる収容部と操作部とを有し、この操作部の操作により上記収容部に収められた上記筒状体内に上記ピストンを所定量だけ押し進めるように構成され、
　上記筒状体が、上記収容部の内部で軸方向に所定距離だけ摺動可能なように上記収容部内に収納され、
　
上記押し出し器の上記収容部の上記容器の押し出し口が位置する側の端部には、上記ピストンの外径よりも大きい直径の円筒状中空部が上記ピストンの軸と同心に形成され、
　
上記押し出し器の操作部が、上記ピストンが上記ペースト状物品を上記容器の押し出し口から所定量づつ押し出した後少しの距離だけ後退するように構成されている
　　【請求項
４
３
【発明の詳細な説明】
〔産業上の利用分野〕
　本発明は、ペースト状物品のためのディスペンサに関するものである。
〔従来技術〕
　従来、潤滑用のグリースや食用のマヨネーズ等のペースト状物品を所定量づつ押し出すためのディスペンサが知られている。この従来のディスペンサは、一端に押し出し口が形成され、他端が開放された比較的剛性の大きい筒状体と、該筒状体の開放端部から挿入できかつ該筒状体に比較的緊密に嵌合して筒状体内を押し進めることができる浮動ピストンと、該筒状体を収容する半円形断面の収容部を有する押し出し器とから構成される。筒状体にペースト状物品が充填され、押し出し器の収容部に収められる。押し出し器は、収容部に収められた筒状体内にピストンを押し進めるための操作部を有し、この操作部の一回の操作ごとにピストンが筒状体内に所定量づつ押し進められて、筒状体内のペースト状物品を押し出し口から所定量づつ押し出す。
〔発明が解決しようとする課題〕
　上述した従来のディスペンサにおいては、使用の都度ペースト状物品を筒状体に充填する必要があり、使用に不便である。また、ペースト状物品がマヨネーズのような食品である場合には、筒状体に該ペースト状物品を充填するときに該ペースト状物品が汚染される恐れがある。
　したがって、本発明は、使い捨て容器を使用できて使用に便利であり、かつ食品に使用しても衛生上の問題を生じないペースト状物品のためのディスペンサを提供することを目的とする。
〔課題を解決するための手段〕
　
上記の課題を解決するために、本発明の一態様によるペースト状物品のためのディスペンサは、両端が解放された筒状体と、この筒状体に挿入できる大きさのピストンと、押し出し器と、を有し、この押し出し器が、筒状体を収めることができる収容部と操作部とを有し、この操作部の操作により収容部に収められた筒状体内にピストンを所定量だけ押し進めるように構成され、筒状体が、収容部の内部で軸方向に所定距離だけ摺動可能なように収容部内に収納され、押し出し器の収容部の容器の押し出し口が位置する側の端部には、ピストンの外径よりも大きい直径の円筒状中空部がピストンの軸と同心に形成され、押し出し器の操作部が、ピストンが上記ペースト状物品を容器の押し出し口から所定量づつ押し出した後少しの距離だけ後退するように構成されている。
　また、本発明の他の態様によるペースト状物品のためのディスペンサは、両端が解放された筒状体と、この筒状体に挿入できる大きさのピストンと、押し出し器と、を有し、この押し出し器が、筒状体を収めることができる収容部と操作部とを有し、この操作部の操作により収容部に収められた筒状体内にピストンを所定量だけ押し進めるように構成され、筒状体が、収容部の内部で軸方向に所定距離だけ摺動可能なように収容部内に収納され、押し出し器の収容部の容器の押し出し口が位置する側の端部には、ピストンの外径よりも大きい直径の円筒状中空部がピストンの軸と同心に形成され、押し出し器の操作部が、ピストンがペースト状物品を容器の押し出し口から所定量づつ押し出した後少しの距離だけ後退するように構成されている。
　上記の二つの態様において、筒状体の外周には、拡大径部が形成され、押し出し器の収容部の内周には拡大径部と当接する環状部が収容部の端部に形成されていることが好ましい。
〔作用〕
　
本発明の上記構成によれば、ペースト状物品を充填した容器は、両端が開放した筒状体に収納され、押し出し器により所定量づつ押し進められるピストンの作用で長さ方向に所定量づつ押し潰される。この押し潰しにより、容器内のペースト状物品は所定量づつ容器の押し出し口から押し出される。容器は筒状体に収納されているので、この押し潰しの過程で横方向に折れたりすることがなく、確実に長さ方向に押し潰される。また、筒状体が軸方向に摺動可能に収納され、押し出し器の収容部の容器の押し出し口が位置する側の端部に円筒状中空部が形成され、さらに、押し出し器の操作部がピストンがペースト状物品を容器の押し出し口から所定量づつ押し出した後少しの距離だけ後退するように構成されているので、ピストンを押して容器を押し潰した状態のまま操作を止めても、ピストンが少しの距離だけ後退して押し潰された容器がその内容積を回復し、押し出し口から押し出されたペースト状物品が容器内に吸い込まれるようにして戻るため、少量の漏れ出し防止することができる。
〔実施例〕
　以下、本発明の実施例を図について説明する。第１図は、本発明において使用されるペースト状物品のための容器の一例を示すものである。容器１は、適当な樹脂材料のブロー成形により円筒状に形成され、一端が閉じ、他端には押し出し口２が設けられている。押し出し口２には、適当な形状の開口２ａが形成される。この押し出し口２にはキャップ３が、たとえばねじ係合により取り付けられる。このキャップ３に代えて、たとえばアルミニウム箔のようなシート材をヒートシール等により取り付けて開口２ａをシールしてもよい。容器１は、たとえばマヨネーズのような食品について使用されるときには湿気に対してバリヤー性のある構成とする。容器１は壁部が薄く形成されるので、長さ方向に内容積がほとんどなくなるまで押し潰すことができる。従来マヨネーズ等について使用されている樹脂製の容器は、横方向には押し潰すことができるが、壁の剛性が比較的高いため、横向きの座屈を生じることなく長さ方向に押し潰すことができない。本発明の容器１は、壁厚を十分に薄くすることにより、一端から長さ方向に押すことにより、長さ方向に押し潰すことができるように構成されている。
　第２図は、他の形式の容器を示すものである。この容器４は、樹脂フィルムを重ね周辺部をヒートシールして構成され、長さ方向の一端に押し出し口５を有する。この容器４も、剛性が極めて低いので、長さ方向に内容積がほとんどなくなるまで押し潰すことができる。
　第３図は、本発明において使用される筒状体およびピストンを示すものである。筒状体６は、樹脂材料の成形品であり、比較的剛性の大きい円筒形に形成される。筒状体６の一端には開口７を有する環状のフランジ８が形成されている。筒状体６の他端９は、そのまま開放されている。ピストン１０は筒状体６に緩く嵌合し、筒状体６の軸方向に容易に移動できる直径である。
　第４図に押し出し器の一例を示す。この押し出し器１１は、収容部１２を構成する半円形断面の本体部１３と、該本体部１３の両端に設けられた端板１４、１５とを有する。端板１４は円筒部１４ａと環状フランジ部１４ｂとからなり、円筒部１４ａが本体部１３の一端に結合される。環状フランジ部１４ｂは、その内周により開口１４ｄを形成する。端板１５は円板部１５ａと周辺の円筒部１５ｂとからなり、円筒部１５ｂが本体部１３の他端に結合される。
　端板１５の円板部１５ａを通って押し棒１６が配置される。収容部１２内に位置する押し棒１６の端部には小さな半径の円板状の押し板１６ａが取り付けられている。収容部１２の外側で、端板１５の円板部１５ａに固定ハンドル１７が取り付けられている。さらに、この固定ハンドル１７には可動ハンドル１８が取り付けられている。可動ハンドル１８は、押し棒１６の外面に形成した歯溝に係合する爪（図示せず）を有し、該可動ハンドル１８の一回の操作ごとに、押し棒１６を所定量だけ、第４図において左方向に進めることができる。押し出し器１１のこの構成は周知であるので、これ以上詳細な説明は省略する。
　筒状体６は、押し出し器１１の収容部１２に丁度収まる直径を有する。使用にあたっては、第１図または第２図に示す容器１、４にペースト状物品を充填した状態で、該容器１、４を筒状体６内に収める。ここで、容器１、４の押し出し口２、５が筒状体６の開口７側に位置し、かつ該開口７から突出するように配置する。そして、反対側の端９からピストン１０を挿入した状態で、筒状体６を押し出し器１１の収容部１２に収める。容器１、４の押し出し口２、５は押し出し器１１の端板１４の開口１４ｄから突出するように配置する。
　押し棒１６の先端の押し板１６ａをピストン１０に係合させた状態で、可動ハンドル１８を操作すると、押し棒１６が所定量だけ進められ、ピストン１０を筒状体６内で所定量だけ押し進める。このとき、容器１、４は筒状体６により拘束されているので、横方向に座屈を生じることなく、長さ方向に押し潰される。その結果、容器内のペースト状物品は所定量だけ押し出される。可動ハンドル１８を繰り返し操作することにより、容器１、４は長さ方向に内容積がほとんどなくなるまで押し潰すことができ、内部のペースト状物品はほとんど完全に押し出される。使用済みの容器は廃棄し、ペースト状物品を充填した新しい容器を同様に使用する。
　以上述べた実施例においては、ピストン１０は押し棒１６とは別に設けられているが、押し板１６ａの直径を十分に大きくすることにより、この押し板１６ａをピストンとして使用することができる。このときは、浮動ピストン１０は必要でない。
　第５図は、本発明に使用される押し出し器の他の実施例を示す。押し出し器２１は、前実施例の押し出し器１１における本体部１３と同様に半円形断面の本体部２３を有し、端板１４、１５と同様な構成の端板２４、２５が本体部２３の両端に取り付けられる押し棒２６およびハンドル２７、２８の構成は前実施例におけるものと同様である。押し棒２６の先端にはピストン２６ａが設けられる。さらに、本実施例においては、半円形断面の蓋２９が設けられる。この蓋２９は、本体部２３とともに円形断面の収容部２２を構成するものである。蓋２９は、一方の長さ方向の縁がヒンジ３０により本体部の一方の長さ方向の縁に取り付けられ、開閉自在な蓋を構成する。他方の縁には固定用の金具３１が設けられる。
　この実施例の押し出し器２１においては、ペースト状物品を充填した容器１、４はそのまま、蓋２９を開いた時に形成される装填口から収容部２２に収められる。そして、蓋２９を閉じ、ハンドル２８を操作することにより、容器１、４を長さ方向に押し潰すことができる。
　第６図は、本発明に使用される押し出し器のさらに他の実施例を示すものである。この実施例の押し出し器４１は、円筒形の本体部４２を有し、この本体部４２の一端に端板４３が取り付けられる。押し棒４４固定ハンドル４５および可動ハンドル４６の構成および配置は前実施例におけると同様である。押し棒４４の先端には前実施例のピストン２６ａと同様なピストン（図示せず）が設けられる。
　円筒形本体部４２の先端にはリング状の劃７がヒンジ４８により開閉自在に取り付けられる。蓋４７は開口４７ａを中央に有する。さらに、蓋４７は固定用金具４９により閉状態で本体部４２に固定することができる。この実施例では、ペースト状物品を充填した容器１、４は、蓋４７を開放位置にして円筒形本体部４２の先端から挿入できる。その後、蓋４７を閉じて前実施例におけると同様の操作を行う。
　第７図に本発明に係る押し出し器の別の実施例を示す。押し出し器５１は本体５２と本体５２の一端とねじ５２ｃで係合している蓋５３とからなる収容部５４と筒状体５５とを有し、筒状体５５内にはペースト状物品Ａを装填した容器５６が挿入されている。容器５６の底部にはピストン５７が当接し、押し棒５８がピストン５７を押し進め、容器５６を押し潰し、ペースト状物品Ａを押し出し口５６ａから押し出す。図示はしていないが、固定ハンドル及び可動ハンドルの構造及び配置は前記実施例の場合と同様である。収容部５４を構成する蓋５３の中央には開口５９が形成されており、開口５９から容器５６の押し出し口５６ａが突出している。なお、本体５２にはねじ５２ｃの他に、他端にもねじ５２ｄが形成されており、このねじ５２ｄに固定ハンドル及び可動ハンドルよりなる操作部が接続される。
　筒状体５５の外周には拡大径部５５ａ、５５ｂが形成されており、拡大径部５５ａは筒状体５５の一端からある程度の距離をおいて形成されている。本体５２の内周には拡大径部５５ａと当接する環状部５２ａが本体５２の端部に形成され、本体５２の他端には環状部５２ｂが形成され、筒状体５５が本体５２から抜け落ちないようにしている。この構成により筒状体５５は本体５２内部を距離ｘだけ筒状体５５の軸方向に摺動可能である。なお、本体５２は二分割品としておき、筒状体５５を本体５２内に配置した後、二分割品となっている本体５２を接合する。
　本体５２とねじ係合している蓋５３の内部にはピストン５７の外径よりも大きい直径の円筒状中空部６０がピストン５７の軸と同心に形成されている。
　ピストン５７を押し進めてペースト状物品Ａを押し出し口５６ａから押し出す場合、ピストン５７を押して容器５６を押し潰した状態のまま操作を止めると、押し出し口５６ａから所望量だけ押し出されたぺースト状物品Ａはその所望量だけでうまく切れずに、その粘性のために引き続き少量だけ漏れ出ることがある。この少量の漏れ出しを防止するには、ピストン５７が所定距離進んで容器５６を押し潰した後、少しの距離だけ後退すれば、その後退の分だけ押し潰された容器５６がその内容積を回復し、これに伴い、押し出し口５６ａから押し出されたペースト状物品Ａが容器５６内部に吸い込まれるようにして戻るので少量の漏れ出しを防止できる。そこで、ピストン５７が所定距離だけ前進した後、少しの距離だけ後退するように押し出し器の操作部を構成し、さらに、容器５６と筒状体５５とは摩擦力により係合して一体にしか移動できないので、筒状体５５を本体５２内部で摺動可能に形成しておけば、ピストン５７の前進及び後退とともに筒状体５５及び容器５６も前進及び後退し、ペースト状物品Ａを所望量だけ確実に押し出すことができ、少量の漏れ出しを防止することができる。
　容器５６が完全に押し潰されてほぼ蓋５３の端部まで達した場合、押し潰された容器５６の底部がピストン５７と筒状体５５の内周面との間に挟まってピストン５７が後退不可能になることがある。この場合、本実施例のように、円筒状中空部６０を設けておけば、容器５６が蓋５３の端部まで押し潰されても容器５６の底部は円筒状中空部６０に開放され、ピストン５７と筒状体５５内周面との間に挟まることがなくなる。
　なお、拡大径部５５ａ、５５ｂは少なくとも拡大径部５５ａを設けておけば、筒状体５５が摺動を行うためには十分である。拡大径部５５ａの他に拡大径部５５ｂを設けておけば、筒状体５５を本体５２内部で本体５２とほぼ同心の位置に保つことができ、ピストン５７が前進後退運動を行う上で好ましい。
　また、第８図（ａ）に示すように、筒状体５５の外周に形成する拡大径部５５ａ、５５ｂには直径方向両端に一対の切り欠き６１ａ、６１ｂを形成し、本体５２の内周には、第８図（ｂ）に示すように、直径方向両端に切り欠き６１ａ、６１ｂを通り抜けることができる大きさの一対の突起６２ａ、６２ｂを形成してもよい。このように、拡大径部５５ａ、５５ｂ及び本体５２を形成すれば、切り欠き６１ａ、６１ｂを突起６２ａ、６２ｂと整列させて筒状体５５を本体５２内に挿入した後、筒状体５５を少し回転させれば、筒状体５５は本体５２から抜け落ちなくなる。必要なときには、筒状体５５を本体５２から外すこともできる。
〔発明の効果〕
　以上述べたように、本発明においては、ペースト状物品を充填した長さ方向に押し潰すことができる容器を、筒状体内または筒状の収容部に収めて、横方向の座屈を拘束しながら押し出し器により長さ方向に押し潰し、容器内の物品を押し出すようにしたもので、容器は使用後に使い捨てすることができる。したがって、使用に便利であり、かつ食品について使用するときに、従来のディスペンサにおけるように詰め替えの際に不衛生になる、という問題も回避できる。
【図面の簡単な説明】
第１図は本発明によるペースト状物品を充填した容器の一実施例を示す斜視図、第２図は容器の他の実施例を示す斜視図、第３図は筒状体およびピストンを示す斜視図、第４図は押し出し器の一例を示す斜視図、第５図および第６図はそれぞれ押し出し器の他の例を示す斜視図、第７図は押し出し器の他の例の断面図、第８図（ａ）、（ｂ）はそれぞれ軸方向から見た筒状体及び本体の平面図である。
〔符号の説明〕
１、４……容器、２、５……押し出し口
６……筒状体、１０……ピストン
１１……押し出し器、１２……収容部
１３、２３……本体部、１６、２６……押し棒
１７……固定ハンドル、１８……可動ハンドル
２９、４７……蓋、３０、４８……ヒンジ
３１、４９……金具、５１……押し出し器
５２……本体、５２ａ、５２ｂ……環状部
５２ｃ、５２ｄ……ねじ、５３……蓋
５４……収容部、５５……筒状体
５５ａ、５５ｂ……拡大径部
５６……容器、６０……中空部
６１ａ、６１ｂ……切り欠き
６２ａ、６２ｂ……突起